(57)【特許請求の範囲】
【請求項１】
一側に円形孔が形成され、且つ、止め金具が内蔵されている胴体部、
前記胴体部の円形孔に回転可能に貫通設置されるハウジングと、前記ハウジングの外側縁に装着されるラチェットギアとを含めて、前記止め金具に前記ラチェットギアが噛合されることで一方向のみに選択的に回転可能なヘッド部、
前記ハウジングの内部に回転可能となるようにピン結合するウォーム螺子、及び、
前記ハウジングの内部に一端が挿入してピン結合し、前記ウォーム螺子に噛合するように上端にねじ山が形成されている一対のアーム、及び、
前記一対のアーム下端部に分離可能に結合し、内部に形成のアーム結合溝の中央から上部に突出形成されるガイド部を有するアーム結合部と、前記アーム結合部から下部に突出形成される四角断面のソケット結合部とからなるアダプターを含めるラチェットレンチ。
【請求項２】
前記胴体部の外部一側には、前記止め金具と調節ピンとで連結され、前記止め金具の回動を可能とさせるコントロールレバーが備えられていることを特徴とする請求項１に記載のラチェットレンチ。
【請求項３】
前記止め金具は、三角形状からなり、一側の両端には、前記ラチェットギアに噛み合えるように歯部が形成され、他側には、前記止め金具の一側に備えられる第１ボールプランジャーのボールに密着するように一対の円弧形屈曲部が隣接して形成されることを特徴とする請求項１又は２に記載のラチェットレンチ。
【請求項４】
前記ハウジングは、内部に空間を有する円筒形状であって、上部面には前記ウォーム螺子が装着されるための長方形のウォーム螺子挿入溝が形成され、下部面には前記一対のアームが摺動可能となるようにアーム案内溝が形成されることを特徴とする請求項１又は２に記載のラチェットレンチ。
【請求項５】
前記ウォーム螺子は、中央部を基準とし、ねじ山が相互対称に形成され、前記ウォーム螺子の回転に応じて前記一対のアームが互いに反対方向に移動するようになっていることを特徴とする請求項１又は２に記載のラチェットレンチ。
【請求項６】
前記一対のアームは、互いに対向する面がそれぞれ平面であることを特徴とする請求項１又は２に記載のラチェットレンチ。
【請求項７】
前記一対のアームの相互対向する面には、それぞれＶ字状の係止溝が形成されていることを特徴とする請求項１又は２に記載のラチェットレンチ。
【請求項８】
前記係止溝の折曲部に円形溝がさらに形成されることを特徴とする請求項７に記載のラチェットレンチ。
【請求項９】
前記胴体部の下部一側には貫通孔を持ったカバーが結合され、前記貫通孔を通じて前記ハウジングの下端部が露出されることを特徴とする請求項１又は２に記載のラチェットレンチ。
【請求項１０】
前記アーム結合部の内周面一側に第２ボールプランジャーが備えられ、前記アームの外周面一側には前記第２ボールプランジャーに対応するプランジャー溝が形成されることを特徴とする請求項１又は２に記載のラチェットレンチ。
【請求項１１】
前記ソケット結合部の一側にはレンチ用ソケットとの結合のための第３ボールプランジャーが備えられることを特徴とする請求項１又は２に記載のラチェットレンチ。
【請求項１２】
前記胴体部の他側外周面には、滑り止めの役割を奏するゴム又は合成樹脂材の取っ手部が備えられることを特徴とする請求項１又は２に記載のラチェットレンチ。
【発明の詳細な説明】
【技術分野】
【０００１】
本発明は、ラチェットレンチに関するものであって、さらに詳しくは、規格の異なる様々なボルトやナットを別途のソケットを組み合わせることなく、連続して組立又は解体することができ、且つ、作業対象物の深い溝内でもボルトやナットの組立や解体が可能なラチェットレンチに係る。
【背景技術】
【０００２】
一般のラチェットレンチは、ボルトやナットを容易に締め付けたり、緩めたりするための工具であって、その大きさ及び形態と使用方法によって多様に分けられる。
【０００３】
従来、図１に示したような構造のラチェットレンチが一般的に採用されてきたが、図１に図示のラチェットレンチは、胴体１０と、胴体１０の一側に装着され、外側縁にラチェットギアが付着されるヘッド部３０と、胴体１０の他側に装着の取っ手部２０と、ヘッド部３０に挿入され、ボルトやナットの頭部が挿入し得るような溝を有するソケット４０とからなる。
【０００４】
こうしたラチェットレンチでボルトやナットの組付け又は取外し作業を行いたい場合は、取っ手部２０を一側又は他側方向に所定角度ほど回転させるにつれ、ヘッド部３０及びソケット４０が回転し、ひいてはソケット４０に挿入されているボルト頭部５０が回転するようになるから、ボルトが組みつけられたり、取り外されたりすることになる。
【０００５】
しかしながら、従来ラチェットレンチのソケットは、単一規格のボルトを組付けたり、取外したりする場合にのみ使用できたので、規格の異なるボルトの組付け又は取外し作業を行う場合にはそれぞれの規格に合う複数個のソケットをヘッド部に別途組み合わせ、作業しなければならない問題点があった。
【０００６】
つまり、規格の異なる複数のボルトを組付け又は取り外したい場合、一つのボルトをラチェットレンチを介して組付け又は取り外した後、ソケットをヘッド部から取り外し、規格の異なる他の新しいソケットをさらにヘッド部に組み合わせたうえで、ボルトの組付け、取り外し作業を行わなければならなかったため、使用するたびにソケットを別途組み合わせたり、又は取り外さなければならなかった。
【０００７】
また、様々な規格のソケットを複数準備していなければならないため、コストが多くかかる等、重い工具ボックスを持って移動しなかればならない問題点をもあった。しかも、作業対象物の深い溝内ではボルトやナットの組付け、取り外し作業が難しいという問題があった。
【発明の開示】
【発明が解決しようとする課題】
【０００８】
本発明は、前述したような問題点に着目してなされたもので、本発明の一実施例は、一側に円形溝が形成され、止め金具が内蔵されている胴体部、胴体部の円形溝に回転可能に貫通設置されるハウジングと、ハウジングの外側縁に装着のラチェットギアとを包含し、止め金具にラチェットギアが噛合することによって、一方向のみに選択的に回転可能なヘッド部、ハウジングの内部に回転可能となるようにピン結合するウォーム螺子、及びハウジングの内部に一端が挿入し、ピン結合するものの、ウォーム螺子に噛合するように上端に螺子山が形成されている一対のアームを包含し、規格の異なる様々なボルトやナットを別途のソケットを組み合わせることなく、連続して組付けや取り外しが可能となるラチェットレンチに係る。
【課題を解決するための手段】
【０００９】
本発明の望ましい一実施例によれば、一側に円形孔が形成され、止め金具が内蔵されている胴体部、胴体部の円形孔に回転可能に貫通設置されるハウジングと、ハウジングの外側縁に装着されるラチェットギアとを包含し、止め金具にラチェットギアが噛合することで一方向のみに選択的に回転可能なヘッド部、ハウジングの内部に回転可能となるようにピン結合するウォーム螺子、及び、ハウジングの内部に一端が挿入してピン結合し、ウォーム螺子に噛合するように上端に螺子山が形成される一対のアーム、及び、一対のアーム下端部に分離可能に結合し、内部に形成のアーム結合溝の中央から上部に突出形成されるガイド部を有するアーム結合部と、アーム結合部から下部に突出形成される四角断面のソケット結合部とからなるアダプターを含むラチェットレンチが提供される。
【００１０】
本発明の望ましい一実施例によれば、胴体部の外部一側には、止め金具と調節ピンとで連結され、止め金具の回動を可能とさせるコントロールレバーが備えられる。
【００１１】
本発明の望ましい一実施例によれば、止め金具は、三角形状からなり、一側の両端には、ラチェットギアが噛合するように歯部が形成され、他側には止め金具の一側に備えられる第１ボールプランジャーのボールに密着し得るように一対の円弧形屈曲部が隣接して形成される。
【００１２】
本発明の望ましい一実施例によれば、ハウジングは、内部に空間を有する円筒形状であって、上部面にはウォーム螺子を装着するための長方形のウォーム螺子挿入溝が形成され、下部面には一対のアームが摺動可能となるようにアーム案内溝が形成される。
【００１３】
本発明の望ましい実施例によれば、ウォーム螺子は、中央部を基準とし、ねじ山が相互対称に形成され、ウォーム螺子の回転に応じて一対のアームが互いに反対方向に移動するようになっている。
【００１４】
本発明の一実施例によれば、一対のアームは、互いに対向する面がそれぞれ平面であり得るが、望ましくは、相互対向面にそれぞれ‘Ｖ’字状の係止溝を有する。
【００１５】
本発明の望ましい一実施例によれば、係止溝の折曲部に円形溝がさらに形成され得る。
【００１６】
本発明の望ましい一実施例によれば、胴体部の下部一側には貫通孔を持ったカバーが組み合わせられ、貫通孔を通じてハウジングの下端部が露出されるようになっている。
【００１９】
本発明の望ましい一実施例によれば、前記アーム結合部の内周面の一側に第２ボールプランジャーが備えられ、前記アームの外周面一側には、前記第２ボールプランジャーに対応するプランジャー溝が形成され得る。
【００２０】
本発明の望ましい一実施例によれば、ソケット結合部の一側にはレンチ用ソケットとの結合のための第３ボールプランジャーが備えられる。
【００２１】
本発明の望ましい一実施例によれば、胴体部の一側外周面には、滑り止めの役割が奏されるようにゴム又は合成樹脂材の取っ手部が形成される。
【発明の効果】
【００２２】
以上述べたように、本発明の実施例によるラチェットレンチによれば、ウォーム螺子を用いた簡単な構成であって、ヘッド部にアームが設けられ、ボルト頭部の規格に合うように調節し得ることによって、規格の異なるボルトの組付けや取り外しの作業時、別途のソケットがなくても連続して作業を行うことが可能であり、別途のソケット工具ボックスを不要とするので、作業の能率が向上するばかりでなく、費用の削減につながる。また、アームの長さを適宜に選択することによって、作業対象物の深い溝でもボルトやナットの組付けが可能となる長所がある。さらに、アームにアダプターを組み合わせることによって、多種のレンチ用ソケットを連結し、使用することが可能となる。
【発明を実施するための最良の形態】
【００２３】
以下、添付図面に基づいた望ましい実施例を通じて本発明を詳しく説明する。図１は、従来のラチェットレンチの構造を示した斜視図であり、図２と図３は、本発明の一実施例によるラチェットレンチの斜視図であり、図４は、本発明の一実施例によるラチェットレンチの平面断面図であり、図５は、図４のＡ-Ａ方向断面図であり、図６は、図４のＢ-Ｂ方向断面図である。そして、図７Ａは、本発明の一実施例によるアダプターと第２ボールプランジャーの概略を示した図面であり、図７Ｂは、本発明の一実施例によるアダプターと第３ボールプランジャーの概略を示した図面である。最後に、図８は、本発明の一実施例によるラチェットレンチの使用状態図である。
【００２４】
本発明の一実施例によるラチェットレンチ１００は、図２ないし図６に示したように胴体部２００とヘッド部３００を包含してなされ、望ましくは取っ手部４００とカバー５００及びアダプター６００をさらに含める。
【００２５】
そこで、胴体部２００の一側には円形孔２１０が形成され、他側へ長く延長された部分の外周面に取っ手部４００が備えられるが、この際、取っ手部４００は、把持しやすくなると共に滑り止めの効果が奏されるようにゴムやシリコン又は合成樹脂など、柔らかな材質のものが使用されることが望ましい。
【００２６】
また、胴体部２００は、カバー５００が挿入される部分を除いては、一体形に形成されているため、ボルトやナットの組付け又は取り外しの作業時に胴体部それ自体の揺れが生じないといった利点を持っている。
【００２７】
この際、カバー５００は、ボルトなどの締結具により胴体部２００の下部一側に分離可能に組み合わせられ、後述するハウジング３１０と第１ボールプランジャー２４０を支持する役割を果たし、一側にはハウジング３１０が貫通挿入されるように円形の貫通孔５１０が形成され、他側には後述する止め金具２２０とコントロールレバー２３０を連結する調節ピンが貫通されて回転されるようにカバー孔５２０を有する。
【００２８】
胴体部２００の内部には止め金具２２０が装着されるが、図４に示すように、止め金具２２０は、後述するヘッド部３００のラチェットギア３２０と係合させられることによって、ヘッド部３００が一方向のみに回転するように制御する役割を奏する。
【００２９】
この止め金具２２０は、三角形状を有し、一側の両端にはラチェットギア３２０と噛合し得るように歯部２２１ａ、２２１ｂが形成されていることが望ましく、後述するコントロールレバー２３０に連結できるように調節ピンが貫通結合し得るような止め金具孔２２２を有する。
【００３０】
そこで、歯部２２１ａ、２２１ｂは、それぞれ一方向にはラチェットギア３２０に引っ掛かるように形成され、他方向には、ラチェットギア３２０を乗り越えて行けるように形成されることが好ましく、中央部から外側方向に所定傾斜で傾けられて形成されることができる。
【００３１】
したがって、図４を基準とし、胴体部２００を時計方向に回転させるようになった場合、胴体部２００に装着の止め金具２２０も共に回転することになるが、この際、止め金具２２０の歯部２２１ａがラチェットギア３２０に係止されているため、止め金具２２０がラチェットギア３２０に回転力を伝えるようになり、ハウジング３１０が胴体部２００と共に回転される。
【００３２】
その反面、胴体部２００を反時計方向に回転させるようになった場合、止め金具２２０の歯部２２１ａはラチェットギア３２０を乗り越えて行くので、ハウジング３１０に回転力を提供せず、胴体部２００だけが回転することになるから、ハウジング３１０は回転しない。
【００３３】
一方、図４に示されていないが、止め金具２２０の歯部２２１ｂがラチェットギア３２０に噛合している場合、胴体部２００を時計方向に回転させると、止め金具２２０の歯部２２１ｂがラチェットギア３２０を乗り越えることになりハウジング３１０が回転しないが、胴体部２００を反時計方向に回転させると、止め金具２２０の歯部２２１ｂがラチェットギア３２０を押すことになり、ハウジング３１０に回転力を提供することになるから、ハウジング３１０が胴体部２００と共に回転することになる。
【００３４】
また、止め金具２２０の他側、即ち、歯部２２１ａ、２２１ｂが形成されている反対側には、一対の円弧形屈曲部２２３ａ、２２３ｂが形成されていることが望ましく、これは、止め金具２２０の半自動回動を可能とするためであって、これについては後述するコントロールレバー２３０と共に詳しく説明する。
【００３５】
胴体部２００の外部一側に設置のコントロールレバー２３０は、止め金具２２０を一方向に選択的に回転させる役割を奏する。即ち、図４と図５に示したように胴体部２００の外側に設けられるが、止め金具２２０とは調節ピンにより連結され、調節ピンが貫通固定されるようにレバー孔２３１を有する。
【００３６】
コントロールレバー２３０と止め金具２２０とを連結する調節ピンは、図５に示したように、第１調節ピン２３２と第２調節ピン２３３とを含めてなされるが、第１調節ピン２３２は、同一垂直線上に形成されるコントロールレバー２３０のレバー孔２３１、胴体部２００の胴体部孔２０２、止め金具２２０の止め金具孔２２２及びカバー５００のカバー孔５２０に挿入され、上部には挿入溝２３２ａが形成される。
【００３７】
そして、第２調節ピン２３３は、第１調節ピン２３２の挿入溝２３２ａに挿入されるものの、ヘッドがコントロールレバー２３０の上部面に取り付けられる。これは、コントロールレバー２３０と第１調節ピン２３２との結合固定力を強化すると共に、離脱を防止するためである。
【００３８】
一方、第１調節ピン２３２は、胴体部の胴体部孔２０２とカバーのカバー孔５２０で回転可能となるように円柱形状を有する。
【００３９】
この際、コントロールレバー２３０の回転時、第１調節ピン２３２は、コントロールレバー２３０及び止め金具２２０と共に回転するので、コントロールレバー２３０のレバー孔２３１と止め金具２２０の止め金具孔２２２が円形孔に形成されていると、長期間の使用に際し、摩擦による磨耗から緩くなり、第１調節ピン２３２がコントロールレバー２３０及び止め金具２２０を回転させなくなり、空回転する場合が生じえる。
【００４０】
したがって、コントロールレバー２３０のレバー孔２３１と止め金具２２０の止め金具孔２２２は、四角形の孔に形成されることが望ましく、第１調節ピン２３２もコントロールレバー２３０のレバー孔２３１と止め金具２２０の止め金具孔２２２に組み合わせられる部分は、それに対応すべく、四角形の断面からなることが望ましい。
【００４１】
この際、胴体部２００の胴体部孔２０２とカバー５００のカバー孔５２０及びこれらに対応する第１調節ピン２３２の部分は、前記四角形孔を貫通し得るような直径を有するように形成されることが望ましく、これは、第１調節ピン２３２を挿入する際、コントロールレバー２３０のレバー孔２３１及び止め金具２２０の止め金具孔２２２に引っ掛かることなく、容易に組み合わせられるようにするためである。
【００４２】
こうしたコントロールレバー２３０は所定角度で回転可能であり、コントロールレバー２３０の回転時、第１調節ピン２３２により連結されている止め金具２２０も同時に回動することから、一側の両端に形成の歯部２２１ａ、２２１ｂを選択的にラチェットギア３２０と噛み合うようにすることが可能となる。
【００４３】
即ち、コントロールレバー２３０で止め金具２２０を回動させ、図４に示したように、止め金具２２０の一方の歯部２２１ａがラチェットギア３２０に噛み合うようにした場合は、前述したようにハウジング３１０は胴体部２００を図において時計方向に回転させる場合にのみ胴体部２００と共に回転し、ボルトの組付け作業を行うことになるが、反時計方向には回転しない。
【００４４】
そして、コントロールレバー２３０で止め金具２２０を回動させ、止め金具２２０の他方の歯部２２１ｂがラチェットギア３２０に噛み合うようにすれば、ハウジング３１０は、図において反時計方向にのみ回転することができ、ボルトの取り外し作業を行うことができる。
【００４５】
この時、本発明の望ましい実施例によれば、コントロールレバー２３０で 止め金具２２０を回動させる場合、その回動が半自動で行われるように止め金具２２０の一側に第１ボールプランジャー２４０を備えることが好ましい。
【００４６】
そこで、ボールプランジャーは、弾性ばねとボールとからなり、弾性ばねの弾性復元力によりボールが一方向に力を加えることをいう。
【００４７】
第１ボールプランジャー２４０の場合、図４と図５に示したように、弾性ばね２４１は、胴体部２００のばね挿入溝２０４に挿着され、一端が胴体部２００に固定され、ボール２４２は、弾性ばね２４１の他端と止め金具２２０との間に設けられ、弾性ばね２４１による弾性復元力が止め金具２２０に伝わるようになっている。
【００４８】
この時、止め金具２２０には前述したように一対の円弧形屈曲部２２３ａ、２２３ｂが隣接して形成されることが好ましく、円弧形屈曲部２２３ａ、２２３ｂは、ボール２４２の周縁面に密着されるような曲率半径を有するようになっている。
【００４９】
図４の場合、ボール２４２が止め金具２２０の一方の円弧形屈曲部２２３ａに密着して弾性力を提供しているが、コントロールレバー２３０で止め金具２２０を図において反時計方向に回動させると、止め金具２２０によりボール２４２が摺動し、弾性ばね２４１を圧縮することになり、止め金具２２０の一対の円弧形屈曲部２２３ａ、２２３ｂ間の頂点部分がボール２４２と接触する時、弾性ばね２４１は最大に圧縮する。それから、止め金具２２０がさらに回転し、他方の円弧形屈曲部２２３ｂがボール２４２に密着する時点で弾性ばね２４１の弾性復元力により止め金具２２０は自動に完全回動し、他方の歯部２２１ｂがラチェットギア３２０に噛み合うようになっている。
【００５０】
ヘッド部３００は、ハウジング３１０、ラチェットギア３２０、ウォーム螺子３３０及び一対のアーム３４０を含める。
【００５１】
そこで、ハウジング３１０は、その内部に空間を有する円筒形状であって、胴体部２００の円形孔２１０に回転可能に貫通設置され、ハウジング３１０の外側縁にはラチェットギア３２０が装着される。
【００５２】
そして、ハウジング３１０の上部面には長方形のウォーム螺子挿入溝３１１が形成され、ハウジング３１０の内部にはウォーム螺子ピン３３１によりウォーム螺子３３０がピン結合するものの、使用者が、ウォーム螺子３３０を容易に操作しえるようにウォーム螺子３３０の上部がこのウォーム螺子挿入溝３１１を介して外部に露出されるようにすることが望ましく、ウォーム螺子３３０の外部表面は、滑り止めの役割を奏するべくナーリング処理が施されていることが好ましい。
【００５３】
ウォーム螺子３３０の下部には、一対のアーム３４０がアームピン３４１によりハウジング３１０にピン結合し、各アーム３４０の下端部は外部に露出されるが、ウォーム螺子挿入溝３１１の下部にウォーム螺子３３０の長手方向に円形断面のアーム溝３３３ａが形成され、各アーム３４０の上端はアームピン３４１によりアーム溝３３３ａに挿入されることで組み合わせられる。
【００５４】
しかも、ハウジング３１０の下部面には、各アーム３４０がウォーム螺子３３０の長手方向に摺動可能となるように、ウォーム螺子３３０の長手方向に長くアーム案内溝３３３ｂが形成され、このアーム溝３３３ａとアーム案内溝３３３ｂは、各アーム３４０の摺動を案内する役割を奏するばかりでなく、各アーム３４０間に固定のボルトに回転力を加えた場合、アーム３４０が遊動したり、捻れたりすることを防止する役割をも奏する。
【００５５】
この際、図３に示したように各アーム３４０の両側上端部がアーム案内溝３３３ｂに直角方向に延長形成され、ハウジング３１０の下端部に密着されることが望ましいが、これは、各アーム３４０がハウジング３１０に堅固に結合されるようにすることによって、ボルトの組付け及び取外しの作業時、各アーム３４０の揺れを防止するためである。
【００５６】
そして、各アーム３４０の上端にはねじ山が形成され、ウォーム螺子３３０と噛合するようになっているが、ウォーム螺子３３０のねじ山３３２ａ、３３２ｂは、中央部を中心に相互対称に形成される。即ち、例えば、図６に示したように、ウォーム螺子３３０の中央部を中心に左側のねじ山３３２ａは、左螺子加工によりやや左側に傾けられて形成される反面、右側のねじ山３３２ｂは、右螺子加工によりやや右側に傾けられて形成されるものである。
【００５７】
これにより、ウォーム螺子３３０の下部両側にそれぞれ噛合するアーム３４０は、ウォーム螺子３３０の回転によって相互反対方向に摺動することになり、アームピン３４１の中央には中心段３４１ａが突出形成され、各アーム３４０は、ウォーム螺子３３０の一端から中心段３４１ａに至るまでの区間でのみ、往復移動が可能となる。
【００５８】
このように、ウォーム螺子３３０の回転操作により、ボルト(又はナット)頭部の規格に合わせてアーム３４０間の距離調節が可能となるので、様々な規格のボルトを組付けるか、又は取り外す作業を行う場合でも別途のソケットを不要とするものである。
【００５９】
一方、一対のアーム３４０の対向面、即ち、ボルト頭部と接する面は、平面から形成することができ、この時には、ボルト頭部の外側面に接触して取り付けられる。但し、アーム３４０の対向面が平面である場合は、ボルトを組付けるか、又は取り外す過程でボルト頭部からアーム３４０が容易に離脱してしまうので、作業が難しくなる短所が生じえることから、アーム３４０の対向面は、図２と図３に示したように、それぞれ‘Ｖ’字形状の係止溝３４３が削設されることが望ましい。つまり、アーム３４０の対向面に‘Ｖ’字形状の部分が形成されると、ボルト頭部の外側面に接触されるのではなく、外側面と外側面とが合う角部が係止溝３４３に挿入されることができるので、固定力がさらに堅固になり得ると共に、ボルトの組付け又は取り外しの作業時に容易に離脱しない。
【００６０】
この際、係止溝３４３の折曲部がボルト頭部の外側角部分と接触する場合には、ボルトの組付け又は取外し過程で摩擦によりボルト頭部の外側角部が破損されることがある。したがって、係止溝３４３の折曲部に円形溝３４３ａが削設されることが好ましく、これによってボルト頭部の外側角部がアーム３４０の対向面と摩擦を起こさないため、破損を防止することができる。
【００６１】
各アーム３４０の対向面下部に形成の円形プランジャー溝３４４は、後述するアダプター６００を組み合わせるためのものであって、アダプター６００に対する説明と共に詳述する。
【００６２】
アダプター６００は、一対のアーム３４０の下端部に分離可能に組み合わせられ、レンチ用ソケットの着脱を可能とさせる役割を奏するものであって、図２と図３に示したように、一側にはアーム３４０に分離可能に組み合わされるアーム結合部６１０が形成され、他側にはレンチ用ソケットが分離可能に組み合わされるように、四角断面のソケット結合部６２０が形成される。
【００６３】
そこで、アーム結合部６１０は、内部に円形に形成されるアーム結合溝６１１と、アーム結合溝６１１の中央から上部に突出形成されるガイド部６１２とを含めるが、このガイド部６１２は、各アーム３４０がアーム結合溝６１１に挿入される際に挿入方向をガイドし、アーム３４０の回転力をソケットに伝える役割を奏するものであって、アーム３４０の係止溝３４３に対応するように六角断面を有することが好ましい。
【００６４】
また、アーム結合部６１０の外周面は、滑り止めのためにナーリング処理が施され、アーム結合部６１０の内周面の一側には、ボールとバネとからなる第２ボールプレンジャー６１０ａが備えられ、各アーム３４０の外側面の一側には第２ボールプレンジャー６１０ａに対応する楕円形のプランジャー溝３４４が備えられる。
【００６５】
この際、第２ボールプランジャー６１０ａは、アーム３４０がアーム結合溝６１１に挿入された時、バネの弾性復元力によりボールがアーム３４０のプランジャー溝３４４に挿入されるようにすることによって、アダプター６００がアーム３４０の下端部に堅固に組み合わされた状態を保つようにする役割を奏する。
【００６６】
また、レンチ用ソケットのソケット溝にソケット結合部６２０が挿入され、且つ固定されることができるようにソケット結合部６２０の一側に第３ボールプレンジャー６１２が備えられることが望ましい。
【００６７】
本発明の一実施例によるラチェットレンチ１００を用いてボルトＢを組み付けるか、又は取り除く過程を図７に基づいて説明する。
【００６８】
ボルトＢを組み付けたい場合は、先ずコントロールレバー２３０を回転し、胴体部２００に内蔵の止め金具２２０の一側両端の歯部２２１ａ、２２１ｂのうち、組付け段階の歯部２２１ａがヘッド部３００のハウジング３１０の外側縁に装着のラチェットギア３２０に噛み合うようにする。
【００６９】
それから、ハウジング３１０の上側面に形成のウォーム螺子挿入溝３１１の外部に露出されたウォーム螺子３３０を一側方向又は他側方向に回転せしめる。すると、ウォーム螺子３３０に噛み合った一対のアーム３４０間距離が狭くなったり、又は遠くなり、ボルトＢの頭部を左右で圧迫しながら固定される。
【００７０】
さらに、取っ手部４００を図において時計方向に回転させ、胴体部２００を時計方向に回転させると、止め金具２２０がラチェット３２０を押すようになり、ヘッド部３００が時計方向に回転することになる。
【００７１】
したがって、ヘッド部３００が時計方向に回転することによって、ヘッド部３００のアーム３４０に固定のボルト頭部が時計方向に回転するが、胴体部２００とヘッド部３００とが所定角度で回転された後には取っ手部４００を反時計方向に回転し、胴体部２００を元の位置に戻し、再び前述したような方法で時計方向に回転する過程を繰り返すことでボルトＢの組合せが終わることになる。
【００７２】
そこで、図８にはボルト頭部が六角形であるボルトＢが図示されているものの、他に四角形、蝶形状などのような様々な形状のボルト頭部を有するボルトにも適用することができる。但し、一対のアーム３４０の係止溝３４３をボルト頭部の形状に対応するように形成すればよい。
【００７３】
一方、ボルトＢを取り外したい場合は、コントロールレバー２３０を図において反時計方向に回転し、胴体部２００に内蔵の止め金具２２０の一側両端の歯部２２１ａ、２２１ｂのうち、取外し段階の歯部２２１ｂがラチェットギア３２０と噛み合うようにする。
【００７４】
それから、取っ手部４００を図において反時計方向に回転させ、胴体部２００を反時計方向に回転させると、止め金具２２０の歯部２２１ｂがラチェットギア３２０を押すようになり、ヘッド部３００も反時計方向に回転することになる。
【００７５】
したがって、ヘッド部３００のアーム３４０にボルトＢの頭部が固定され、ボルトＢが反時計方向に回転しながら取り外される。この場合も、胴体部２００とヘッド部３００とが所定角度で回転された後には、取っ手部４００を時計方向に回転させ、胴体部２００を元の位置に戻し、再び反時計方向に回転せしめる過程を繰り返すと、ボルトＢの取外し作業が終了する。
【００７６】
前述したように、別途のソケットを交換しなくても規格の異なる多様なボルトを組付け又は取り外す作業が可能となり、アダプター６００を用いてアーム３４０の下端部にソケットを組み合わせることによって、図１に示したような従来のソケット４０を併用して使用することも可能である。
【００７７】
即ち、ソケット４０を組み合わせて使用したい場合、ウォーム螺子３３０を回転し、一対のアーム３４０の相互対向面が互いに当接するように成してから、アダプター６００のアーム結合溝６１１に各アーム３４０を挿入させるが、この時、アーム結合部６１０の内側面一側に備わる第２ボールプレンジャー６１０ａのボールがアーム３４０の外周面一側に形成のプランジャー溝３４４に挿入、固定されることによって、アーム３４０にアダプター６００を組み合わせる過程が終了する。
【００７８】
そして、使用しようとするソケット４０のソケット溝４１にソケット結合部６２０を挿入すると、ソケット結合部６２０の一側に備えられる第３ボールプレンジャー６２１がソケット溝４１内に備わるプレンジャー溝(図示せず)に挿入、固定されることによって、アダプター６００にソケット４０を組み合わせる過程が終了し、ボルトの組付け又は取り外し作業を継続して行うようになっている。
【００７９】
このように、アーム３４０にソケットを装着する場合、作業対象物の深い溝にボルトを組付け又は取り外したい時に有用に用いることができるという長所を持っている。
【００８０】
本発明は、前述したような実施例に限定されるものではなく、本発明の思想及び範囲から外れない程度に様々修正及び変形し得ることは、この技術分野において通常の知識を有する者にとり自明である。即ち、そのような変形例又は修正例等は、本発明の特許請求範囲に属するものであると言える。
【図面の簡単な説明】
【００８１】
【図１】従来のラチェットレンチの構造を示した斜視図である。
【図２】本発明の一実施例によるラチェットレンチの斜視図である。
【図３】本発明の一実施例によるラチェットレンチの斜視図である。
【図４】本発明の実施例によるラチェットレンチの平面断面図である。
【図５】図４のＡ-Ａ方向の断面図である。
【図６】図４のＢ-Ｂ方向の断面図である。
【図７Ａ】本発明の一実施例によるアダプターの概略図である。
【図７Ｂ】本発明の一実施例によるアダプターの概略図である。
【図８】本発明の一実施例によるラチェットレンチの使用状態図である。
【符号の説明】
【００８２】
１００  ラチェットレンチ
２００  胴体部
２１０  円形孔
２２０  止め金具
２２１ａ、２２１ｂ  歯部
２２３ａ、２３３ｂ  円弧形屈曲部
２３０  コントロールレバー
２４０  第１ボールプランジャー
３００  ヘッド部
３１０  ハウジング
３２０  ラチェットギア
３３０  ウォーム螺子
３４０  アーム
４００  取っ手部
５００  カバー
６００  アダプター
６１０  アーム結合部
６２０  ソケット結合部
【図１】
0004934103.tif 000002
【図２】
0004934103.tif 000003
【図３】
0004934103.tif 000004
【図４】
0004934103.tif 000005
【図５】
0004934103.tif 000006
【図６】
0004934103.tif 000007
【図７Ａ】
0004934103.tif 000008
【図７Ｂ】
0004934103.tif 000009
【図８】
0004934103.tif 000010